(57)【要約】      （修正有）【課題】調整記憶機能を備える伸縮パイプ部材を提供する。【解決手段】伸縮パイプ部材は三種の実施形態を備え、切り換えボタン４１の操作を通じて、接触頂点セクション４１２は外管１の第一孔１２に照準を合わせ、弾性体４２の弾性接触を受け、切り換えボタン４１の挿入ピンセクション４１３は内管２の各定位孔２１との挿入係合を離脱しリリース状態を形成し、外管１内での内管２の位置を単独で調整でき、内管２の調整完成後に再び切り換えボタン４１を回してプッシュすることで、挿入ピンセクション４１３は内管２の各定位孔２１に挿入され、切り換えボタン４１の接触頂点セクション４１２は外管１内壁に密着し、引っ掛かり頂点セクション４１１は第一孔１２に係合接続し、位置制限状態を形成し、切り換えボタン４１を直接プッシュすることで、内管２の伸縮移動を受け、第一孔１２、第三孔５１との係合接続を離脱し、これにより内管２は制御アセンブリ４、内嵌部材３といっしょに、外管１の穿孔内で移動伸縮する。【選択図】図２
0003227624.tif 000002
【実用新案登録請求の範囲】
【請求項１】
調整記憶機能を備える伸縮パイプ部材であって、外管、内管、内嵌部材、制御アセンブリ、外嵌部材を有し、
前記外管は、穿孔を有し、外管の一端から反対端へと貫通し、外管一端表面には第一孔を設置し、穿孔へと連通し、しかも第一孔の孔形は多辺形で、
前記内管は、穿孔内に通して組み付けられ、しかも内管は中空状で、片側表面には複数の定位孔を設置し、各定位孔は、間隔を開けて設置され、第一孔に対応し、内管は、外管に相対して伸縮移動し、
前記内嵌部材は、内管外周に嵌められ穿孔内で移動し、内嵌部材は、第一孔に対応し、さらに第二孔を設置し、しかも第二孔は多辺形で、
前記制御アセンブリは、穿孔と内管の外壁面との間に取り付けられ、制御アセンブリは、切り換えボタン及び弾性体を有し、切り換えボタンは、引っ掛かり頂点セクション、接触頂点セクション、挿入ピンセクションを有し、引っ掛かり頂点セクションは、接触頂点セクション頂面に連結し、挿入ピンセクションは、接触頂点セクション底面に連接し、また弾性体は挿入ピンセクションに嵌めて設置し、一端は、接触頂点セクションに弾性接触し、弾性体反対端は、内管外表面に弾性接触し、また接触頂点セクションは、第二孔内で枢動でき、しかも接触頂点セクションの形状は、第一孔形状に相同で、
前記外嵌部材は、外管一端に嵌めて組み付け、しかも内管は外嵌部材を貫通し、外嵌部材は、第一孔に対応し、さらに第三孔を設置し、第三孔は第一孔に連通し、円形を呈し、
切り換えボタンのプッシュ回転を通して、接触頂点セクションは第一孔に照準を合わせられ、弾性体の弾性接触を受けることができ、挿入ピンセクションは、各定位孔との挿入係合を離脱し、これにより、リリース状態を形成し、内管の位置を単独で調整でき、また内管の調整完成後に再び切り換えボタンを回してプッシュすることで、挿入ピンセクションは各定位孔に挿入され、しかも接触頂点セクションは、外管内壁に密着し、引っ掛かり頂点セクションは、第一孔に係合接続され、位置制限状態を形成し、また切り換えボタンを直接プッシュすることで、内管の伸縮移動により、第一孔、第三孔との係合接続を離脱し、これにより内管は制御アセンブリ、内嵌部材といっしょに穿孔内で移動伸縮する
ことを特徴とする
調整記憶機能を備える伸縮パイプ部材。
【請求項２】
前記接触頂点セクションは、挿入ピンセクションに連接する一端に、環状かつ陥没状に環状係合槽をさらに形成し、また弾性体の一端は、環状係合槽内に係合して設置される
ことを特徴とする
請求項１に記載の調整記憶機能を備える伸縮パイプ部材。
【請求項３】
前記調整記憶機能を備える伸縮パイプ部材はさらに内底カバーを設置し、内管に嵌めて設置し、外嵌部材の反対端に伸び出し、しかも内底カバーは、外管の穿孔内でスライドし、別に２個のネジを設置し、その内の１個のネジは、内底カバーを貫通して組み付けられ、内管にネジ止めされ、もう１個のネジは、外嵌部材を貫通して組み付けられ、外管にネジ止めされる
ことを特徴とする
請求項２に記載の調整記憶機能を備える伸縮パイプ部材。
【請求項４】
調整記憶機能を備える伸縮パイプ部材は、外管、内管、内嵌部材、制御アセンブリ、外嵌部材を有し、
前記外管は、穿孔を有し、外管の一端から反対端へと貫通し、外管一端の表面には第一孔を設置し、穿孔へと連通し、第一孔は円孔で、
前記内管は、穿孔内に通して組み付けられ、しかも内管は中空状で、片側表面には複数の定位孔を設置し、各定位孔は、間隔を開けて設置され、第一孔に対応し、内管は、外管に相対して伸縮移動し、
前記内嵌部材は、内管の外周に嵌めて組み付けられ、内管と共に、外管の穿孔内で移動し、内嵌部材は、外管の第一孔に対応する片側に、さらに第二孔を設置し、しかも第二孔は、長楕円孔で、
前記制御アセンブリは、穿孔と内管の外壁面間に取り付けられ、制御アセンブリは、切り換えボタン及び弾性体を有し、切り換えボタンは、引っ掛かり頂点セクション、接触頂点セクション、挿入ピンセクションを有し、引っ掛かり頂点セクションは、接触頂点セクションの頂面に連結し、挿入ピンセクションは、接触頂点セクション底面に連接し、また、弾性体は挿入ピンセクションに嵌めて設置し、一端は、接触頂点セクションに弾性接触し、弾性体反対端は、内管外表面に弾性接触し、また接触頂点セクション形状は、第二孔形状と同じで、
前記外嵌部材は、外管一端に嵌めて組み付け、しかも内管外嵌部材を貫通し、外嵌部材は、第一孔に対応し、さらに第三孔を設置し、第三孔は第一孔に連通し、円形を呈し、
切り換えボタンのプッシュ回転を通して、接触頂点セクションは穿孔に照準を合わせ、弾性体の弾性接触を受けることができ、挿入ピンセクションは、各定位孔との挿入係合を離脱し、これにより、リリース状態を形成し、内管の位置を単独で調整でき、また内管の調整完成後に再び切り換えボタンを回してプッシュすることで、挿入ピンセクションは各定位孔に挿入され、しかも接触頂点セクションは、外嵌部材内壁に密着し、これにより、位置制限状態を形成し、また切り換えボタンを直接プッシュすることで、内管の伸縮移動を受け、第一孔、第三孔との係合接続を離脱し、これにより内管は制御アセンブリ、内嵌部材といっしょに、外管の穿孔内で移動伸縮する
ことを特徴とする
調整記憶機能を備える伸縮パイプ部材。
【請求項５】
前記接触頂点セクションは、挿入ピンセクションに連接する一端に、環状かつ陥没状に環状係合槽をさらに形成し、また弾性体の一端は、環状係合槽内に係合して設置される
ことを特徴とする
請求項４に記載の調整記憶機能を備える伸縮パイプ部材。
【請求項６】
前記調整記憶機能を備える伸縮パイプ部材はさらに内底カバーを設置し、内管に嵌めて設置し、外嵌部材の反対端に伸び出し、しかも内底カバーは、外管の穿孔内でスライドし、別に２個のネジを設置し、その内の１個のネジは、内底カバーを貫通して組み付けられ、内管にネジ止めされ、もう１個のネジは、外嵌部材を貫通して組み付けられ、外管にネジ止めされる
ことを特徴とする
請求項５に記載の調整記憶機能を備える伸縮パイプ部材。
【請求項７】
調整記憶機能を備える伸縮パイプ部材は、外管、内管、制御アセンブリ、内嵌部材、外嵌部材を有し、
前記外管は、穿孔を有し、外管の一端から反対端へと貫通し、外管一端表面には、小径孔及び大径孔を設置し、小径孔及び大径孔は共に穿孔に連通し、別にストッパーを設置し、外管の、大径孔を設置する位置に組み付け、ストッパーは大径孔に対応し、制限孔を設置し、相互に連通し、制限孔は小孔セクション及び大孔セクションに区分され、大孔セクションは、大径孔上に重ねて設置され、小孔セクションは、ストッパー表面に位置し、
前記内管は、穿孔内に通して設置され、しかも内管は外管に相対し伸縮移動及び回転し、内管外壁面には複数の定位孔を設置し、
前記内嵌部材は、穿孔内に取り付けられ、内管外壁に嵌めて設置され、内嵌部材には第二孔を設置し、しかも第二孔の孔径は、外管小径孔より大きく、大径孔より小さく、
前記制御アセンブリは、穿孔内に取り付けられ、しかも外管と内管外壁面の間に位置し、制御アセンブリは、切り換えボタン及び弾性体を有し、切り換えボタンは、引っ掛かり頂点セクション、接触頂点セクション、挿入ピンセクションを有し、引っ掛かり頂点セクションは、接触頂点セクション頂面に連結し、挿入ピンセクションは、接触頂点セクション底面に連接し、また弾性体は挿入ピンセクションに嵌めて設置し、一端は、接触頂点セクションに弾性接触し、弾性体反対端は、内管外表面に弾性接触し、
切り換えボタンのプッシュ並びに制御による、外管に相対する内管の伸縮及び回転操作の下、切り換えボタンが小径孔に対応すると、引っ掛かり頂点セクションは小径孔から伸び出し、接触頂点セクションは穿孔孔壁に密着し、挿入ピンセクションは内管の任意の定位孔に挿入され、位置制限状態を形成し、また切り換えボタンのプッシュにより、内嵌部材を調整して連動し、穿孔内でいっしょに伸縮移動させ、また切り換えボタンをプッシュし同時に内管を回転させ、切り換えボタンが移動し、大径孔に対応すると、挿入ピンセクションは定位孔との挿入係合を離脱し、引っ掛かり頂点セクションは、ストッパーの小孔セクションから伸び出し、また接触頂点セクションは、ストッパーに密着し、大孔セクションに位置し、これにより、外管に相対する内管の伸縮位置を単独で調整できる
ことを特徴とする
調整記憶機能を備える伸縮パイプ部材。
【請求項８】
前記調整記憶機能を備える伸縮パイプ部材は、外嵌部材をさらに設置し、外管の一端に嵌めて組み付け、しかも内管は、外嵌部材を貫通し、外嵌部材は穿孔を封鎖する
ことを特徴とする
請求項７に記載の調整記憶機能を備える伸縮パイプ部材。
【請求項９】
前記接触頂点セクションは、挿入ピンセクションに連接する一端に、環状かつ陥没状に環状係合槽をさらに形成し、また弾性体の一端は、環状係合槽内に係合して設置される
ことを特徴とする
請求項８に記載の調整記憶機能を備える伸縮パイプ部材。
【請求項１０】
前記調整記憶機能を備える伸縮パイプ部材は、さらに内底カバーを設置し、内管に嵌めて設置し、外嵌部材の反対端に伸び出し、しかも内底カバーは、外管の穿孔内でスライドし、さらにネジを設置し、内底カバーに通して組み付け、内管にネジ止めし、またストッパーはさらに係合ピンを設置し、外管の係合接続孔に対応し、ストッパーは、係合ピンを係合接続孔に挿入係合し定位して組み立てられる
ことを特徴とする
請求項９に記載の調整記憶機能を備える伸縮パイプ部材。
【考案の詳細な説明】
【技術分野】
【０００１】
本考案は調整記憶機能を備える伸縮パイプ部材に関し、特に伸縮管の使用を要する多種の領域に応用され、必要な長さを設定して調整後は、その後も一度の操作でそのまま定位できるため再設定が不要で、便利で簡単である調整記憶機能を備える伸縮パイプ部材に関する。
【背景技術】
【０００２】
伸縮構造の設置に関しては、特許文献１〜４に開示する。
特許文献１〜４に開示する構造はすべて伸縮の機能を備え、長さを調整することができる。
【０００３】
しかし、特許文献１〜４に開示する構造には、共通の欠点がある。
それは、使用者が長さを調整し使用を完了した後、次に使用する際には改めて再調整する必要があり、最も適した位置へと調整できるとは限らないという点である。
これでは時間の無駄で、極めて不便であり、しかも調整可能な孔は、一般的に最も外側のパイプ部材上に設置されているため、ホコリや異物が孔に堆積したり詰まったりし、後々の調整に悪影響を及ぼす恐れがある。
【先行技術文献】
【特許文献】
【０００４】
【特許文献１】中華民国特許公告第Ｍ５７００４０号明細書
【特許文献２】中華民国特許公告第Ｍ５６７３１８号明細書
【特許文献３】中華民国特許公告第Ｍ５６１４６１号明細書
【特許文献４】中華民国特許公告第Ｍ４８６４１８号明細書
【考案の概要】
【考案が解決しようとする課題】
【０００５】
前記先行技術には、長さを調整し使用を完了した後、次に使用する際には改めて再調整する必要があり、最も適した位置へと調整できるとは限らず、調整可能な孔は一般的に最も外側のパイプ部材上に設置されているため、ホコリや異物が孔に堆積したり詰まったりし、後々の調整に悪影響を及ぼす恐れがあるという欠点がある。
【課題を解決するための手段】
【０００６】
本考案は使用の度に長さの再設定及び調整が不要で、そのまま引き伸ばして操作することで、最も適した長さとでき、従来の技術の共通の欠点を改善できる調整記憶機能を備える伸縮パイプ部材に関する。
【０００７】
本考案による調整記憶機能を備える伸縮パイプ部材は、３種の実施形態を有する。
【０００８】
第一実施形態は、外管、内管、内嵌部材、制御アセンブリ、外嵌部材を有する。
該外管は、穿孔を有し、外管の一端から反対端へと貫通し、外管一端表面には第一孔を設置し、穿孔へと連通し、しかも第一孔の孔形は多辺形である。
該内管は、穿孔内に通して組み付けられ、しかも内管は中空状で、片側表面には複数の定位孔を設置し、各定位孔は、間隔を開けて設置され、外管に対応して第一孔を設置し、内管は、外管に相対して伸縮移動する。
該内嵌部材は、内管の外周に嵌めて組み付けられ、内管と共に、外管の穿孔内で移動し、内嵌部材は、第一孔の片側に対応し、さらに第二孔を設置し、しかも第二孔は多辺形である。
該制御アセンブリは、穿孔と内管の外壁面との間に取り付けられ、制御アセンブリは、切り換えボタン及び弾性体を有し、切り換えボタンは、引っ掛かり頂点セクション、接触頂点セクション、挿入ピンセクションを有し、引っ掛かり頂点セクションは、接触頂点セクション頂面に連結し、挿入ピンセクションは、接触頂点セクション底面に連接し、また、弾性体は挿入ピンセクションに嵌めて設置し、一端は、接触頂点セクションに弾性接触し、弾性体の反対端は、内管外表面に弾性接触し、また接触頂点セクションは第二孔内で枢動し、しかも接触頂点セクションの形状は、外管の第一孔形状に相同である。
該外嵌部材は、外管一端に嵌めて組み付けられ、しかも内管は外嵌部材を貫通し、外嵌部材は、第一孔に対応し、さらに第三孔を設置し、第三孔は第一孔に連通し、円形を呈する。
切り換えボタンのプッシュ回転を通して、接触頂点セクションは第一孔に照準を合わせ、弾性体の弾性接触を受け、切り換えボタンの挿入ピンセクションは、各定位孔との挿入係合を離脱し、これにより、リリース状態を形成し、内管の位置を単独で調整でき、この時、切り換えボタンの接触頂点セクションは、外嵌部材の内壁に密着し、制限を受け、完全に弾出できない。
また、内管の調整完成後に再び切り換えボタン４１を回してプッシュすることで、挿入ピンセクションは内管の各定位孔に挿入され、しかも接触頂点セクションは、外管内壁に密着し、引っ掛かり頂点セクションは第一孔に係合接続し、これにより、位置制限状態を形成する。
また、切り換えボタンを直接プッシュすることで、内管の伸縮移動を受け、第一孔との係合接続を離脱し、これにより内管は制御アセンブリ、内嵌部材といっしょに、外管の穿孔内で移動伸縮する。
【０００９】
第二実施形態は、外管、内管、内嵌部材、制御アセンブリ、外嵌部材を有する。
該外管は、穿孔を有し、外管の一端から反対端へと貫通し、外管一端の表面には第一孔を設置し、穿孔へと連通し、第一孔は多辺形である。
該内管は、穿孔内に通して組み付けられ、しかも内管は中空状で、片側表面には複数の定位孔を設置し、各定位孔は、間隔を開けて設置され、外管に対応し、第一孔の片側に設置され、内管は、外管に相対して伸縮移動する。
該内嵌部材は、内管外周に嵌めて組み付けられ、内管と共に、外管の穿孔内で移動し、内嵌部材は、第一孔の片側に対応し、さらに第二孔を設置し、しかも第二孔は、長楕円孔である。
該制御アセンブリは、外管の穿孔と内管の外壁面との間に取り付けられ、制御アセンブリは、切り換えボタン及び弾性体を有し、切り換えボタンは、引っ掛かり頂点セクション、接触頂点セクション、挿入ピンセクションを有し、引っ掛かり頂点セクションの接触頂点セクションの頂面に連結し、挿入ピンセクションは、接触頂点セクション底面に連接し、また、弾性体は挿入ピンセクションに嵌めて設置し、一端は、接触頂点セクションに弾性接触し、弾性体反対端は、内管外表面に弾性接触し、また接触頂点セクション形状は、第二孔形状と同じである。
該外嵌部材は、外管一端に嵌めて組み付けられ、しかも内管は外嵌部材を貫通し、外嵌部材は、第一孔に対応し、さらに第三孔を設置し、第三孔は第一孔に連通し、円形を呈する。
切り換えボタンのプッシュ回転を通して、接触頂点セクションは、第二孔に照準を合わせ弾性体の弾性接触を受けることができ、挿入ピンセクションは、各定位孔との挿入係合を離脱し、これにより、リリース状態を形成し、内管の、外管内での位置を単独で調整でき、この時、接触頂点セクションは、外管の内壁に密着し、制限を受けて完全に弾出できない。
また、内管の調整完成後に再び切り換えボタンを回してプッシュすることで、挿入ピンセクションは各定位孔に挿入され、しかも切り換えボタンの接触頂点セクションは、内嵌部材内壁に密着し、引っ掛かり頂点セクションは、第一孔に係合接続し、位置制限状態を形成する。
また、切り換えボタンを直接プッシュすることで、内管の伸縮移動を受け、第一孔との係合接続を離脱し、これにより内管は制御アセンブリ、内嵌部材といっしょに、外管の穿孔内で移動伸縮する。
【００１０】
第三実施形態は、外管、内管、制御アセンブリ、外嵌部材を有する。
該外管は、穿孔を有し、外管の一端から反対端へと貫通し、外管一端表面には、小径孔及び大径孔を設置し、小径孔及び大径孔は共に穿孔に連通し、別にストッパーを設置し、外管の、大径孔を設置する位置に組み付け、ストッパーは大径孔に対応し、制限孔を設置し、相互に連通し、制限孔は小孔セクション及び大孔セクションに区分され、大孔セクションは、大径孔上に重ねて設置され、小孔セクションは、ストッパー表面に位置する。
該内管は、穿孔内に通して設置され、しかも内管は外管に相対し伸縮移動及び回転し、内管外壁面には複数の定位孔を設置する。
該内嵌部材は、外管穿孔内に取り付けられ、内管外壁に嵌めて設置され、内嵌部材は、第二孔を設置し、しかも第二孔の孔径は、外管小径孔より大きく、大径孔より小さい。
該制御アセンブリは、穿孔内に取り付けられ、しかも外管と内管外壁面の間に位置し、制御アセンブリは、切り換えボタン及び弾性体を有し、切り換えボタンは、引っ掛かり頂点セクション、接触頂点セクション、挿入ピンセクションを有し、引っ掛かり頂点セクションは、接触頂点セクション頂面に連結し、挿入ピンセクションは、接触頂点セクションの底面に連接し、また弾性体は挿入ピンセクションに嵌めて設置し、一端は、接触頂点セクションに弾性接触し、弾性体反対端は、内管の外表面に弾性接触する。
切り換えボタンのプッシュにより、外管に相対する内管の伸縮及び回転を制御でき、切り換えボタンが小径孔に対応すると、切り換えボタンの引っ掛かり頂点セクションは、小径孔から伸び出し、接触頂点セクションは穿孔孔壁に密着し、挿入ピンセクションは内管の任意の定位孔に挿入され、位置制限状態を形成する。
また、切り換えボタンのプッシュにより、内嵌部材を調整して連動し、穿孔内で制御アセンブリといっしょに伸縮移動させる。
また、切り換えボタンをプッシュし同時に内管を回転させ、切り換えボタンが回転し、外管の大径孔に対応すると、切り換えボタンは、弾性体の弾性接触を受けた後、挿入ピンセクションは定位孔との挿入係合を離脱し、引っ掛かり頂点セクションは、ストッパーの小孔セクションから伸び出し、また接触頂点セクションは、ストッパーに密着し、大孔セクションに位置し、これにより、外管に相対する内管の伸縮位置を単独で調整できる。
【図面の簡単な説明】
【００１１】
【図１】本考案第一実施形態の立体模式図である。
【図２】本考案第一実施形態の分解立体模式図である。
【図３】図１のIII−III線でカットした断面模式図である。
【図４】本考案第一実施形態において内管位置を調整、設定する動作模式図である。
【図５】本考案第一実施形態において内管位置を調整、設定する別種の視角からの断面模式図である。
【図６】本考案第一実施形態において内管位置の調整、設定が完成後に、正常操作モード下でプッシュを行う動作模式図である。
【図７】本考案第一実施形態において切り換えボタンをプッシュし、しかも内管を押して内縮させる動作模式図である。
【図７Ａ】本考案第一実施形態において内管が外へと最長まで引き伸ばされ、内底カバーが外嵌部材の内部の内嵌部材に接触する様子を示す断面模式図である。
【図８】本考案第二実施形態の立体模式図である。
【図９】本考案第二実施形態の分解立体模式図である。
【図１０】本考案図８のV−V線でカットした断面模式図である。
【図１１】本考案第二実施形態において内管位置を調整、設定する動作模式図である。
【図１２】本考案第二実施形態において内管位置を調整、設定する別種の視角からの断面模式図である。
【図１３】本考案第二実施形態において内管位置の調整、設定の完成後に、操作位置を回復する動作模式図である。
【図１４】本考案第二実施形態において切り換えボタンをプッシュし、しかも内管を押して内縮させる動作模式図である。
【図１４Ａ】本考案第二実施形態において内管が外へと最長まで引き伸ばされ、内底カバーが外嵌部材の内部の内嵌部材に接触する様子を示す断面模式図である。
【図１５】本考案第三実施形態の立体模式図である。
【図１６】本考案第三実施形態の分解立体模式図である。
【図１７】本考案図１５のXVII−XVII線でカットした断面模式図である。
【図１８】本考案第三実施形態において内管位置を調整、設定する動作模式図である。
【図１９】本考案第三実施形態において内管位置を調整、設定する別種の視角からの断面模式図である。
【図２０】本考案第三実施形態において内管位置の調整、設定の完成後に、操作位置を回復する動作模式図である。
【図２１】本考案第三実施形態において切り換えボタンをプッシュし、しかも内管を押して内縮させる動作模式図である。
【考案を実施するための形態】
【００１２】
（一実施形態）
本考案は三種の形態で実施される。
先ず図１〜図７に示す通り、第一実施形態は、外管１、内管２、内嵌部材３、制御アセンブリ４、外嵌部材５を有する。
【００１３】
外管１は中空状を呈し、穿孔１１を有し、外管１の一端から反対端へと貫通し、外管１の一端の表面には第一孔１２を設置し、穿孔１１へと連通し、しかも第一孔１２の孔形は多辺形である（本考案は長楕円形を採用し説明するが、他の形状とすることもできる）。
【００１４】
内管２は、外管１の穿孔１１内に通して組み付け、しかも内管２は中空状で、片側表面には複数の定位孔２１を設置する。
各定位孔２１は、間隔を開けて設置され、外管１に対応し、第一孔１２の片側に設置され、内管２は、外管１に相対して伸縮移動する。
【００１５】
内嵌部材３は管状に形成され、内管２の外周に嵌めて組み付けられ、内管２と共に、外管１の穿孔１１内で移動する。
内嵌部材３は、外管１の第一孔１２に対応する片側に、さらに第二孔３１を設置し、しかも第二孔３１は多辺形である（本考案は円孔を主として説明するが、他の形柱状とすることもできる）。
【００１６】
制御アセンブリ４は、外管１の穿孔１１と内管２の外壁面との間に取り付けられる。
制御アセンブリ４は、切り換えボタン４１及び弾性体４２を有する。
切り換えボタン４１は、引っ掛かり頂点セクション４１１、接触頂点セクション４１２、挿入ピンセクション４１３を有する。
引っ掛かり頂点セクション４１１は、接触頂点セクション４１２の頂面に連結し、挿入ピンセクション４１３は、接触頂点セクション４１２の底面に連接する。
また、弾性体４２は、挿入ピンセクション４１３に嵌めて設置し、一端は、接触頂点セクション４１２に弾性接触する。
弾性体４２の反対端は、内管２外表面に弾性接触し、また切り換えボタン４１の接触頂点セクション４１２は、第二孔３１内で枢動でき、しかも接触頂点セクション４１２の形状は、外管１の第一孔１２形状に相同である。
【００１７】
外嵌部材５は、外管１の一端に嵌めて組み付け、しかも内管２は、外嵌部材５を貫通する。
外嵌部材５は、外管１の第一孔１２に対応し、さらに第三孔５１を設置し、第三孔５１は第一孔１２に連通し、円形を呈する（その形状は、切り換えボタン４１の引っ掛かり頂点セクション４１１に対応した形状）。
【００１８】
切り換えボタン４１のプッシュと回転を通して、接触頂点セクション４１２は、外管１の第一孔１２に照準を合わせ、弾性体４２の弾性接触を受けることができ、切り換えボタン４１の挿入ピンセクション４１３は、内管２の各定位孔２１との挿入係合を離脱する。
これにより、リリース状態を形成し、内管２の、外管１内での位置を単独で調整できる。
この時、切り換えボタン４１の接触頂点セクション４１２は、外嵌部材５の内壁に密着し、これにより完全弾出できない。
また、内管２の調整完成後に再び切り換えボタン４１を回してプッシュすることで、挿入ピンセクション４１３は内管２の各定位孔２１に挿入され、しかも切り換えボタン４１の接触頂点セクション４１２は、外管１内壁に密着し、  引っ掛かり頂点セクション４１１は第一孔１２に係合接続する。
これにより、位置制限状態を形成し、また切り換えボタン４１を直接プッシュすることで、内管２の伸縮移動を受け、第一孔１２との係合接続を離脱し、これにより内管２は制御アセンブリ４、内嵌部材３といっしょに、外管１の穿孔１１内で移動伸縮する。
【００１９】
上述の説明に基づき、他の技術的特徴についてさらに詳述後、その作動についてまとめて説明する。
弾性体４２の設置を堅固とし、切り換えボタン４１のプッシュ操作に影響を及ぼさないようにするため、接触頂点セクション４１２は、挿入ピンセクション４１３の一端にさらに、環状係合槽４１４を環状かつ陥没状に形成する。
また、弾性体４２の一端は、環状係合槽４１４内に係合して設置され、こうして弾性体４２の取り付けは、切り換えボタン４１のプッシュ操作により離脱、歪みの問題を生じることはない。
こうして、プッシュ操作の過程において、切り換えボタン４１はプッシュ操作を確実に受け止めることができる（図３、図５、図７参照）。
【００２０】
また、伸縮使用、調整において、内管２を外管１の穿孔１１内に確実に維持し、外管から勝手に離脱することがないよう、さらに内底カバー６を設置し、内管２に嵌めて設置し、外嵌部材５の反対端に伸び出す。
しかも、内底カバー６は、外管１の穿孔１１内でスライドし、別に２個のネジ７を設置し、その内の１個のネジ７は、内底カバー６を貫通して組み付けられ、内管２にネジ止めされ、もう１個のネジ７は、外嵌部材５を貫通して組み付けられ、外管１に係合接続される。
外嵌部材５は、内挿入部５２及び外覆部５３をさらに有する。
内挿入部５２と外覆部５３の間には、間槽５４を環状に形成し、外管１は、間槽５４内に挿入して設置される。
内挿入部５２は、外管１の穿孔１１内に挿入され、また外覆部５３は、外管１の外表面に密着する。
ネジ７は、外覆部５３、外管１、内挿入部５２を貫通し、外嵌部材５を固定する。
これにより、内管２を伸縮調整する時、内底カバー６の設置を通して、内管を最長まで引き伸ばす時、内底カバー６は外嵌部材５の取り付けを受け、内管２の引き伸ばしを制限する。
簡単に言えば、内底カバー６は内嵌部材３に密着後、外嵌部材５の内挿入部５２の制限を受けるまで移動を持続し、こうして内管２は最長の長さまで延長される（図７Ａ、図２参照）。
【００２１】
上述の説明に基づき、第一実施形態の長さ調整と位置記憶、及び使用操作ステップについてより詳細に説明する。
内管２の長さを調整する時には、切り換えボタン４１をプッシュし回転させる。
これにより、切り換えボタン４１の接触頂点セクション４１２は第一孔１２にぴったり対応し、切り換えボタン４１は弾性体４２の弾性接触を受け、挿入ピンセクション４１３は定位孔２１との挿入係合を解除される。
しかも、接触頂点セクション４１２は、第三孔５１に制限されて弾出が防止される。
この時、外管１の穿孔１１内で内管２を単独引き動かし、移動調整を行うことができる。
使用者が内管２の長さを確定後、再び切り換えボタン４１をプッシュ並びに回転させる。
これにより、挿入ピンセクション４１３は任意の定位孔２１に挿入され、接触頂点セクション４１２は第二孔３１内に制限される。
また、使用する必要がなく、内管２を短縮する時には、再び切り換えボタン４１をプッシュするだけで回転させる必要はない。
これにより、引っ掛かり頂点セクション４１１は、第一孔１２を離脱後、内管２を移動させられ、内管２は外管の穿孔１１内へと縮入移動する。
次に使用する時には、切り換えボタン４１が外管１の第一孔１２及び外嵌部材５の第三孔５１に対応し、弾性体４２の弾性接触を受けて弾出するまで、内管２を引き出すだけで良い。
これにより、引っ掛かり頂点セクション４１１は、外管１の第一孔１２と外嵌部材５の第三孔５１に係合設置され、従前設定の記憶位置に到達する（図４〜図７参照）。
【００２２】
上述の基本構造特徴に基づき、第一実施形態と異なる、第二実施形態の構造特徴について説明する。
図８〜図１４に示す通り、切り換えボタン４１のプッシュと回転により、接触頂点セクション４１２は、第二孔３１に照準を合わせ、弾性体４２の弾性接触を受け、挿入ピンセクション４１３は、内管２の任意の定位孔２１との挿入係合を離脱する。
これにより、内管２の伸縮調整を達成できる。
この時、接触頂点セクション４１２は、外管１の内壁に密着し、制限を受け、完全に弾出することはない。
内管２の位置設定完了を待ち、再び切り換えボタン４１をプッシュ及び回転させ、これにより接触頂点セクション４１２は、再び内嵌部材３内壁に戻り制限を受け、挿入ピンセクション４１３は当然、任意の定位孔２１に挿入され、同様に切り換えボタン４１を再びプッシュし回転しない。
同時に、内管２を外管１の穿孔１１内へと縮入させ、これにより、内管２を外管１内に収納する。
使用する際には、内管２を直接引き動かし、引っ掛かり頂点セクション４１１を、第一孔１２及び外嵌部材５の第三孔５１に対応させれば、設定した位置へと一回で操作することができる。
また、本考案第二実施形態は、切り換えボタン４１の引っ掛かり頂点セクション４１１が操作においてよりスムーズとなり、内嵌部材３の第二孔３１が長楕円孔であることの影響を受けないよう、内嵌部材３の第二孔３１の長い方の両側辺に、さらに回避凹槽３１１をそれぞれ弧状に形成する。
これにより、円柱状の引っ掛かり頂点セクション４１１は、第二孔３１を確実に貫通し、第二孔３１内で回転操作される。
【００２３】
最後に第一、二実施形態とは異なる第三実施形態の特徴について説明する。
第一、二実施形態の内管２及び外管１は共に非円形管であり、しかも切り換えボタン４１の操作方式は共にプッシュと回転により設定されている。
しかし、第三実施形態の内管２及び外管１は共に円形管を主とし、しかも切り換えボタン４１の操作方式は、プッシュ後に、内管２が外管１に相対して回転し、設定、調整される。
図１５〜図２１に示す通り、外管１の設置においては、同様に穿孔１１を有する。
但し、外管１一端外表面には、大径孔１３及び小径孔１４を設置する。
大径孔１３と小径孔１４は、穿孔１１に連通し、別にストッパー８を設置し、外管１の、大径孔１３を設置する位置に組み付ける。
ストッパー８は、大径孔１３に対応し、制限孔８１を設置し、相互に連通する。
制限孔８１は、小孔セクション８１１と大孔セクション８１２に区分され、大孔セクション８１２は、大径孔１３上に重ねて設置され、小孔セクション８１１は、ストッパー８表面に位置する。
また、第二孔３１の孔径は、外管１の小径孔１４より大きく、大径孔１３より小さい。
よって、第三実施形態の操作方式は、内管２の位置設定を行う時には、先ず切り換えボタン４１をプッシュした後、内管２を回転させる。
これにより、切り換えボタン４１は連動を受け移動して、大径孔１３に対応する。
この時、弾性体４２は切り換えボタン４１に弾性接触し、制限孔８１へと移動し、挿入ピンセクション４１３は任意の定位孔２１の挿入係合を離脱する。
こうして、内管２は、単独で引き動かされ位置を調整され、位置を確定後に、再び切り換えボタン４１をプッシュすると、挿入ピンセクション４１３は、対応する定位孔２１に挿入された後に内管２を回転し、切り換えボタン４１を連動して、小径孔１４に対応するまで移動する。
この時、切り換えボタン４１は同様に弾性体４２の弾性接触を受け、引っ掛かり頂点セクション４１１は、外管１の小径孔１４に進入し、接触頂点セクション４１２は小径孔１４の設置により、穿孔１１内壁面に密着し、この時、内管２の位置設定調整が完成される。
また、内管２を収納する時には、切り換えボタン４１をプッシュし、内管２を押して、穿孔１１内へと縮入させれば收納を完成できる。
次に使用する際には、切り換えボタン４１が小径孔１４に対応するまで、内管２を引き動かし外へと延伸させれば、弾性体４２の弾性接触を受け、引っ掛かり頂点セクション４１１は小径孔１４に挿入される。
このように迅速に行え、しかも内管２の位置を再設定する必要はない。
【００２４】
最後に、内管２が引き伸ばされた時、過度に引っ張られ外管１から抜けてしまうことを防止するため、内底カバー６を設置し、内管２に嵌めて組み付け、外嵌部材５の反対端に伸び出す。
しかも、内底カバー６は、穿孔１１内で内管２が伸縮移動することでいっしょに移動する。
第一、二実施形態においては、２個のネジ７の内の１個のネジ７は、内底カバー６に通して組み付けられ、内管２に接続し、もう１個のネジ７は、外嵌部材５を貫通して組み付けられ、外管１にネジ止めされる。
これにより、管内外への異物の進入を阻害でき、内管２の引き動かしにより、内底カバー６は内嵌部材３に接触する。
こうして、外管１からの内管２の離脱を防止できる。
図７Ａに示す通り、第三実施形態は、１個のネジ７のみでよく、ネジ７は、内底カバー６に通して組み付けられ、内管２にネジ止めされる。
ストッパー８は、さらに係合ピン８２を設置し、外管１の係合接続孔１５に対応する。
ストッパー８は、係合ピン８２により、係合接続孔１５に挿入係合され、定位して組み付けられるため、内管２の引き伸ばし移動により、ネジ７が内嵌部材３に接触した時、内管２は最長の長さまで引き伸ばされる（図示なし）。
【００２５】
前述した本考案の実施形態は本考案を限定するものではなく、よって、本考案により保護される範囲は後述される実用新案登録請求の範囲を基準とする。
【符号の説明】
【００２６】
１  外管、
１１  穿孔、
１２  第一孔、
１３  大径孔、
１４  小径孔、
１５  係合接続孔、
２  内管、
２１  定位孔、
３  内嵌部材、
３１  第二孔、
３１１  回避凹槽、
４  制御アセンブリ、
４１  切り換えボタン、
４１１  引っ掛かり頂点セクション、
４１２  接触頂点セクション、
４１３  挿入ピンセクション、
４１４  環状係合槽、
４２  弾性体、
５  外嵌部材、
５１  第三孔、
５２  内挿入部、
５３  外覆部、
５４  間槽、
６  内底カバー、
７  ネジ、
８  ストッパー、
８１  制限孔        、
８１１  小孔セクション、
８１２  大孔セクション、
８２  係合ピン。
【図１】
0003227624.tif 000003
【図２】
0003227624.tif 000004
【図３】
0003227624.tif 000005
【図４】
0003227624.tif 000006
【図５】
0003227624.tif 000007
【図６】
0003227624.tif 000008
【図７】
0003227624.tif 000009
【図７Ａ】
0003227624.tif 000010
【図８】
0003227624.tif 000011
【図９】
0003227624.tif 000012
【図１０】
0003227624.tif 000013
【図１１】
0003227624.tif 000014
【図１２】
0003227624.tif 000015
【図１３】
0003227624.tif 000016
【図１４】
0003227624.tif 000017
【図１４Ａ】
0003227624.tif 000018
【図１５】
0003227624.tif 000019
【図１６】
0003227624.tif 000020
【図１７】
0003227624.tif 000021
【図１８】
0003227624.tif 000022
【図１９】
0003227624.tif 000023
【図２０】
0003227624.tif 000024
【図２１】
0003227624.tif 000025